(57)【要約】【課題】経年劣化への耐性に優れ確実に天面パネルを保持できる商品陳列物品を提供する。【解決手段】天面部材１０と左右の側面部材８，８と前面部材１１Ａ〜１１Ｄとを備え、天面部材１０は、左右に離間し前後方向に延びる一対の横フレーム部２２，２２と一対の横フレーム部２２，２２の前端を連結する前フレーム部２３と、透光性を有する天面パネル２０とを備え、一対の横フレーム部２２，２２は互いに対向する方向に開口２２ａ，２２ａを有する断面視略コ字状となっており、天面パネル２０の側端２０ａ，２０ａを横フレーム部２２，２２の開口２２ａ，２２ａ内にそれぞれ配置し、天面パネル２０の前端２０ｂの前方に前フレーム部２３を位置させた。【選択図】図２
2018117983.tif 000002
【特許請求の範囲】
【請求項１】
床面上に間隔を隔てて左右に設置される複数本の支柱と、互いに隣接する前記支柱の間に設けられた背面部材と、前記背面部材の少なくとも左右端部から前方に向けてそれぞれ延びる側面部材と、左右の前記側面部材の上部に架設された天面部材と、左右の前記側面部材の前部に亘り設けられた前面部材と、を備え、少なくとも前記天面部材と前記前面部材とが透光性を有する面となっている物品陳列什器であって、
前記天面部材は、左右に離間し前後方向に延びる一対の横フレーム部と該一対の横フレーム部の前端を連結する前フレーム部と、透光性を有する天面パネルとを備え、
一対の前記横フレーム部は互いに対向する方向に開口を有する断面視略コ字状となっており、前記天面パネルの側端が前記横フレーム部の開口内にそれぞれ配置され、前記天面パネルの前端の前方に前記前フレーム部が位置していることを特徴とする物品陳列什器。
【請求項２】
前記天面パネルは、前記背面部材若しくは前記支柱により後方への移動が規制されていることを特徴とする請求項１に記載の物品陳列什器。
【請求項３】
左右の前記横フレーム部の後端は、後フレーム部により連結されており、該後フレーム部は前記横フレーム部の開口の下方に位置することを特徴とする請求項１または２に記載の物品陳列什器。
【請求項４】
前記前フレーム部の前端部には、前記前面部材を構成する引き違い扉の上端を前フレーム部に沿って案内するガイド溝部が設けられていることを特徴とする請求項１ないし３のいずれかに記載の物品陳列什器。
【請求項５】
左右の前記横フレーム部は、前記側面部材の上端を構成する前後方向に延びる上フレーム部にネジ固定されていることを特徴とする請求項１ないし４のいずれかに記載の物品陳列什器。
【発明の詳細な説明】
【技術分野】
【０００１】
本発明は、スーパーマーケットやコンビニエンスストア、デパート等の売り場において使用される天面と前後面と側面とを面部材に囲まれた物品陳列什器に関する。
【背景技術】
【０００２】
従来、床面上に間隔を隔てて左右に立設される複数本の支柱と、互いに隣接する支柱の間に設けられた背面部材と、背面部材の左右端部から前方に向くように設けられた側面部材と、これら側面部材の上端部に設けられた天面部材と、側面部材の前部に設けられた前面部材と、を備えた物品陳列什器において、天面部材と前面部材と側面部材とが透光性を有する面部材となっており、内部に設けられた棚板に陳列された物品を視認できるものがある（例えば、特許文献１参照）。
【０００３】
特許文献１に記載の物品陳列什器にあっては、天面部材は透光性を有するアクリル樹脂やガラス等で形成された天面パネルであり、この天面パネルが側面部材を構成する金属製のフレーム部材にネジ固定されるようになっている。このとき、天面パネルはアクリル樹脂やガラス等で形成されていることから、天面パネルとは異なる材質の介在部材が用意され、天面パネルに介在部材を予め固定しておき、この介在部材が金属製のフレーム部材に対してネジ固定されるようになっている。
【先行技術文献】
【特許文献】
【０００４】
【特許文献１】特開２００８−１４９０１２号公報（第９頁、第２図）
【発明の概要】
【発明が解決しようとする課題】
【０００５】
このように、天面パネルを形成するアクリル樹脂やガラス等と、異なる材質の介在部材とを固定する際には、ネジ止めにより固定する場合には天面パネルにおけるネジ固定部分に応力が集中する虞があることから、接着剤により固定する場合が一般的である。しかしながら、これらの固定に接着剤を用いた場合、経年劣化により接着力が低下することは避けられない。加えて特許文献１のように、天面パネルが透光性を有するものである場合には、部屋の天井から照射された光が天面パネルを通過し、接着層の劣化を促進する虞がある。そのため、特許文献１にあっては、介在部材が天面パネルの底面に固定されているため、接着力が低下した場合、天面パネルが左右方向に移動可能となってしまい、天面パネルが落下する危険があった。
【０００６】
本発明は、このような問題点に着目してなされたもので、経年劣化への耐性に優れ確実に天面パネルを保持できる物品陳列什器を提供することを目的とする。
【課題を解決するための手段】
【０００７】
前記課題を解決するために、本発明の物品陳列什器は、
床面上に間隔を隔てて左右に設置される複数本の支柱と、互いに隣接する前記支柱の間に設けられた背面部材と、前記背面部材の少なくとも左右端部から前方に向けてそれぞれ延びる側面部材と、左右の前記側面部材の上部に架設された天面部材と、左右の前記側面部材の前部に亘り設けられた前面部材と、を備え、少なくとも前記天面部材と前記前面部材とが透光性を有する面となっている物品陳列什器であって、
前記天面部材は、左右に離間し前後方向に延びる一対の横フレーム部と該一対の横フレーム部の前端を連結する前フレーム部と、透光性を有する天面パネルとを備え、
一対の前記横フレーム部は互いに対向する方向に開口を有する断面視略コ字状となっており、前記天面パネルの側端が前記横フレーム部の開口内にそれぞれ配置され、前記天面パネルの前端の前方に前記前フレーム部が位置していることを特徴としている。
この特徴によれば、物品陳列什器の天面部材を構成する天面パネルは、横フレーム部に設けられた開口に側端がそれぞれ保持されることで上下方向の移動が規制され、前フレーム部により前方への移動が規制されることから、天面パネルを横フレーム部と前フレーム部とに保持させることができるため、天面パネルの保持に接着剤等を利用する必要がなく、経年劣化への耐性に優れ確実に天面パネルを保持することができる。
【０００８】
前記天面パネルは、前記背面部材若しくは前記支柱により後方への移動が規制されていることを特徴としている。
この特徴によれば、天面パネルは、横フレーム部に設けられた開口に側端がそれぞれ保持され、前フレーム部により前方への移動が規制されているため、背面部材若しくは支柱により後方への移動を規制するのみで天面パネルの落下を確実に防止することができる。
【０００９】
左右の前記横フレーム部の後端は、後フレーム部により連結されており、該後フレーム部は前記横フレーム部の開口の下方に位置することを特徴としている。
この特徴によれば、天面パネルの側端を横フレーム部に設けられた開口に後方側から配置させる際に天面パネルが後フレーム部に干渉しないため、天面部材の組立を容易としながら、後フレーム部により天面部材の構造強度を高くすることができる。
【００１０】
前記前フレーム部の前端部には、前記前面部材を構成する引き違い扉の上端を前フレーム部に沿って案内するガイド溝部が設けられていることを特徴としている。
この特徴によれば、天面部材を取り付けることで、前面部材を構成する引き違い扉の上端を案内するガイド溝部の組立までが完了するため、作業工数を少なくすることができる。
【００１１】
左右の前記横フレーム部は、前記側面部材の上端を構成する前後方向に延びる上フレーム部にネジ固定されていることを特徴としている。
この特徴によれば、横フレーム部が前後方向に延びる上フレーム部にネジ固定されるため天面部材の支持強度が高く、天面部材を安全に保持することができる。
【図面の簡単な説明】
【００１２】
【図１】実施例における物品陳列什器を示す斜視図である。
【図２】天面部材と前面部材とを取り外した物品陳列什器を示す斜視図である。
【図３】側面部材の構造を示す分解斜視図である。
【図４】天面部材を示す斜視図である。
【図５】図４のＡ‐Ａ断面図である。
【図６】図４のＢ‐Ｂ断面図である。
【発明を実施するための形態】
【００１３】
本発明に係る物品陳列什器を実施するための形態を実施例に基づいて以下に説明する。
【実施例】
【００１４】
実施例に係る物品陳列什器につき、図１から図６を参照して説明する。以下、図１の紙面右下側を物品陳列什器の正面側（前方側）として説明する。
【００１５】
物品陳列什器１は、左右方向に所定間隔で支柱２Ａ，２Ｂ，２Ｃが離間しており、隣接する支柱２Ａと支柱２Ｂ及び支柱２Ｂと支柱２Ｃ同士が横杆３，３により上下の対向面同士が連結されている。尚、ここでは下側の横杆の図示を省略している。また、上下の横杆３，３と左右の支柱２Ａ，２Ｂ，２Ｃとにより囲まれた枠状空間には、背板４（背面部材）が嵌め込まれている。
【００１６】
左右の支柱２Ａ，２Ｂの前面２ａ，２ａ，２ａの下端部には、前方を向く基台５，５の後端が固定され、基台５，５の上面には、ベース棚板６が取付けられている。
【００１７】
支柱２Ａ，２Ｂ，２Ｃの前面２ａ，２ａ，２ａには、左右２列の係止孔７，７，…が上下方向に向かって多数列設され、これら係止孔７には図示しないブラケットを介して、上下複数段の棚板３３が上下位置変更可能として支持されている（図２では１枚の棚板のみ図示）。
【００１８】
物品陳列什器１は、その左右端に立設する側面部材８，８と、側面部材８，８の上方に支持された天面部材１０，１０と、側面部材８，８の前方に立設する前面部材を構成する引き違い扉１１Ａ，１１Ｂ，１１Ｃ，１１Ｄと、背板４，４とにより、天面と前後面と側面とは面部材に囲まれている。後に詳述するが、天面部材１０，１０と引き違い扉１１Ａ，１１Ｂ，１１Ｃ，１１Ｄと側面部材８，８とは、透光性を有する部材を備えており、天面と前後面と側面とからベース棚板６と物品陳列什器１の内部に支持された棚板３３（図２参照）とに陳列された物品を外部から視認できるようになっている。
【００１９】
図２に示されるように、左右両端の支柱２Ａ，２Ｃには、それらの前方に延びる側面部材８，８が取付けられており、左右方向中央の支柱２Ｂには、その前方に延びる仕切部材９が取付けられている。
【００２０】
図２に示されるように、支柱２Ａに取付けられた側面部材８と支柱２Ｂに取付けられた仕切部材９との間と、支柱２Ｂに取付けられた仕切部材９と支柱２Ｃに取付けられた側面部材８との間には、それぞれ天面部材１０，１０が固定されている。
【００２１】
次に、図３を用いて側面部材８，８と仕切部材９の組立て構造について説明するが、左右の側面部材８，８は対称形状であるため、ここでは右側の側面部材８を説明し、左側の側面部材８の説明を省略する。
【００２２】
側面部材８は、透光性を有するアクリル樹脂等で形成された側面パネル１２と、上フレーム部１３ａと縦フレーム部１３ｂとを備えて、その全体形状が側面視後向き倒立略Ｌ字状である前フレーム１３と、下フレーム１４と、後フレーム１５と、を備えて構成されている。
【００２３】
上フレーム部１３ａと縦フレーム部１３ｂとは側面パネル１２の上端１２ａと前端１２ｂとがそれぞれ配置される開口（図示略）を有する断面視略コ字状であり、下フレーム１４は側面パネル１２の下端１２ｃが配置される開口１４ａを有する断面視略コ字状であり、後フレーム１５は側面パネル１２の後端１２ｄが配置される開口１５ａを有する断面視略コ字状である。
【００２４】
これら前フレーム１３と下フレーム１４と後フレーム１５とは図示しないネジにより連結されるようになっている。また側面部材８は、前後寸法がベース棚板６の前後寸法よりも若干短寸であり、上下寸法が支柱２Ａの上下寸法より短寸となるように形成されている。
【００２５】
図３に示されるように、前フレーム１３において側面パネル１２の上端と対応する上フレーム部１３ａの後端部下面には、後端に下向き鉤状の上下２個の係止爪１７，１７を有する取付金具１６が固定されている。図２に示されるように、この係止爪１７，１７が支柱２Ａの前面２ａに設けられた係止孔７，７，…に係止されることで、側面部材８の後端が、支柱２Ａの前面２ａに取付けられている。また、取付金具１６にはストッパ部材３２が着脱可能に固定されており、このストッパ部材３２は下側の係止爪１７の上で係止孔７に挿入される挿入片（図示せず）を備え、係止孔７内における係止爪１７の上方への移動を規制している。
【００２６】
また、後フレーム１５の後端には係止孔７，７，…に挿入される突出片１８，１８，…が上下に亘り複数設けられている。また、取付金具１６は物品陳列什器１が組み立てられた状態で側面パネル１２よりも内側に配置され、外部からはアクセスできないようになっている。
【００２７】
前フレーム１３において側面パネル１２の前端１２ｂに対応する縦フレーム部１３ｂの下端には、水平方向に延びる固定片１９が固着され、この固定片１９はベース棚板６の上面６ａの前端部（図２参照）にネジ３１，３１により固定されている。尚、図にて詳述しないが、仕切部材９は仕切部材９を構成する縦フレーム部１３ｂの下端に固着された固定片１９が左右に伸びている点で側面部材８と形状が異なる。
【００２８】
図２に示されるように、ベース棚板６の上面６ａ前端部には、ベース棚板６の左右に渡ってレール３５が図示しないネジにより固定されている。レール３５は、上方に向けて開口する２条のガイド溝３５ａ，３５ａを備え、引き違い扉１１Ａ，１１Ｂ（引き違い扉１１Ｃ，１１Ｄ）の下端がそれぞれガイド溝３５ａ，３５ａに沿って案内可能に配置される。
【００２９】
図２及び図４に示されるように、天面部材１０は、透光性を有するアクリル樹脂等で形成された天面パネル２０と、天面パネル２０の側端２０ａ，２０ａを覆う矩形状のフレーム部材２１とから構成されている。
【００３０】
図４及び図５に示されるように、フレーム部材２１は、天面パネル２０の側端２０ａ，２０ａが配置される開口２２ａ，２２ａを有する断面視略コ字状の一対の横フレーム部２２，２２と、これら横フレーム部２２，２２の前端を連結するとともに、天面パネル２０の前端２０ｂの前方への移動を規制する前フレーム部２３と、横フレーム部２２，２２の後端を連結する後フレーム部２４と、を備えている。
【００３１】
図５に示されるように、横フレーム部２２は、上下に延びる側端面部２２ｂの上端から水平方向に屈曲する上端面部２２ｃと、側端面部２２ｂの上下方向の中央部から上端面部２２ｃと平行に延びる突片部２２ｄとにより天面パネル２０の側端２０ａが配置される開口２２ａを構成している。
【００３２】
また、図５及び図６に示されるように、フレーム部材２１の側端面部２２ｂにおける突片部２２ｄより下方には、その前方側に側端面部２２ｂを左右に貫通する孔２２ｅが設けられ、後端には前方に凹む切欠部２２ｆが設けられている。図３に示されるように、側面部材８を構成する前フレーム１３の上フレーム部１３ａには前後方向にフレーム部材２１に設けられた孔２２ｅと切欠部２２ｆとに対応する位置にネジ孔１３ｃ，１３ｄがそれぞれ形成されている。
【００３３】
図２と図５と図６に示されるように、フレーム部材２１の側端面部２２ｂから、天面部材１０のフレーム部材２１に設けられた孔２２ｅと切欠部２２ｆを通して、側面部材８の上フレーム部１３ａに設けられたネジ孔１３ｃ，１３ｄにネジ３０，３０を螺合させるにより、側面部材８と天面部材１０とが締結されている。
【００３４】
尚、天面部材１０を側面部材８に保持させる際には、ネジ孔１３ｃに一方のネジ３０を予め仮止めしておき、このネジ３０に切欠部２２ｆを係止させることで、天面部材１０の後側の荷重を側面部材８に預けることができ、他方のネジ３０による孔２２ｅとネジ孔１３ｄとの締結作業を容易に行うことができるようになっている。
【００３５】
また、図にて詳述しないが、天面パネル２０の後端２０ｃ（図６参照）左右寸法は、支柱２Ａと支柱２Ｂの対向面同士の寸法及び支柱２Ｂと支柱２Ｃの対向面同士の寸法よりも長寸となっているため、図６に示されるように、天面部材１０が側面部材８に取付けられた状態では、天面パネル２０は支柱２Ａ（２点破線にて図示）の前面２ａにより後方への移動が規制される。
【００３６】
図６に示されるように、フレーム部材２１の前フレーム部２３は、上下に延びる前端面部２３ａが天面パネル２０の前端２０ｂの前方への移動を規制する規制部として機能している。
【００３７】
天面部材１０の組立時には、天面パネル２０は側端２０ａ，２０ａがフレーム部材２１の横フレーム部２２の開口２２ａ，２２ａに配置されるようにフレーム部材２１の後方側から差し込み、前端２０ｂを前フレーム部２３の前端面部２３ａに当接させる。これによれば、天面パネル２０の前端２０ｂを前フレーム部２３の前端面部２３ａに当接させることで天面パネル２０とフレーム部材２１との位置合わせが完了したことを判断でき、組立時の作業が容易である。
【００３８】
また、前端面部２３ａには、その前方に水平面部２３ｂが延設され、この水平面部２３ｂの前端が屈曲されて垂下片２３ｃが形成されている。更に、垂下片２３ｃより後方には所定間隔離間して断面視下向き略コ字状のガイド部材２５が固定されている。このガイド部材２５の下向きの開口部分と、ガイド部材２５と垂下片２３ｃとの間とが、ガイド溝部２６及びガイド溝部２７としてそれぞれ機能するようになっている。
【００３９】
これらガイド溝部２６とガイド溝部２７とには、引き違い扉１１Ａ，１１Ｂ（引き違い扉１１Ｃ，１１Ｄ）の上端がそれぞれガイド溝部２６，２７に沿って案内可能に配置される。このように、引き違い扉１１Ａ，１１Ｂ（引き違い扉１１Ｃ，１１Ｄ）は下端がレール３５のガイド溝３５ａ，３５ａ内に配置され、上端が天面部材１０の前フレーム部２３に設けられたガイド溝部２６とガイド溝部２７内に配置されることにより、上下方向及び前後方向に移動規制された状態で保持されている。
【００４０】
フレーム部材２１の後フレーム部２４は、断面視略下向きコ字状（図６参照）であり、左右の横フレーム部２２，２２の側端面部２２ｂ，２２ｂにおける突片部２２ｄ，２２ｄより下方に左右端が固定されて、横フレーム部２２，２２同士を連結している。
【００４１】
このように、物品陳列什器１の天面部材１０は、透光性を有するアクリル樹脂等で形成された天面パネル２０が、その側端２０ａ，２０ａが左右の横フレーム部２２，２２の開口２２ａ，２２ａ内に配置され、前端２０ｂが前フレーム部２３の前端面部２３ａにより前方への移動を規制された状態で保持される構成であり、天面パネル２０の保持に接着剤等が利用される構成ではないため、経年劣化への耐性に優れ確実に天面パネル２０を保持することができる。
【００４２】
また、天面パネル２０は横フレーム部２２，２２に設けられた開口２２ａ，２２ａに側端２０ａ，２０ａがそれぞれ保持されることで、上下方向の移動が規制されるとともに、前フレーム部２３により前方への移動が規制されているため、支柱２Ａ，２Ｂ（支柱２Ａ，２Ｂ，２Ｃ）により後方への移動を規制するのみの簡単な構造で天面パネル２０の落下を確実に防止することができる。更に、このように天面部材１０の側面部材８への固定を完了させることで天面パネル２０の支柱２Ａ，２Ｂ（支柱２Ｂ，２Ｃ）により後方への移動を規制する構成であることから、天面パネル２０をフレーム部材２１に後方から差し込む組立方法を採用でき、組立作業を容易に行うことができる。
【００４３】
また、天面部材１０を構成する左右の横フレーム部２２，２２は、その後端が後フレーム部２４により連結され、その前端が前フレーム部２３により連結されて矩形状のフレーム部材２１を構成することから、フレーム部材２１の構造強度が高く破損し難いため、天面パネル２０を確実に保持することができる。
【００４４】
更に、図６に示されるように、後フレーム部２４は、横フレーム部２２，２２における側端面部２２ｂの突片部２２ｄより下方に固定されることから、天面パネル２０の側端２０ａ，２０ａを横フレーム部２２，２２に設けられた開口２２ａ，２２ａに後方側から挿入する際に、天面パネル２０に後フレーム部２４が干渉しないため、天面部材１０の組立が容易となっている。
【００４５】
また、天面部材１０を構成する前フレーム部２３の前端部には、物品陳列什器１の前面部材を構成する引き違い扉１１Ａ，１１Ｂ（１１Ｃ，１１Ｄ）の上端を前フレーム部２３に沿って案内するガイド溝部２６，２７が一体に設けられているため、天面部材１０を取り付けることで、引き違い扉１１Ａ，１１Ｂ（１１Ｃ，１１Ｄ）の上端を案内するガイド溝部２６，２７の組立までが完了するため、作業工数を少なくすることができる。
【００４６】
また、天面部材１０を構成する横フレーム部２２，２２が前後方向に延びる側面部材８の上フレーム部１３ａにネジ３０，３０にて前後に複数箇所で固定されるため、天面部材１０の支持強度が高く、天面部材１０を確実に保持することができる。
【００４７】
また、天面部材１０と側面部材８及び仕切部材９とを固定するネジ３０が物品陳列什器１の内側から固定されるため、例えば前面部材である引き違い扉１１Ａ，１１Ｂ，１１Ｃ，１１Ｄを鍵装置の施錠により開操作不能とした場合には、ネジ３０に外部からアクセスできない。加えて、天面パネル２０は横フレーム部２２，２２に設けられた開口２２ａ，２２ａに側端２０ａ，２０ａがそれぞれ保持されることで、上下方向の移動が規制されるとともに、前フレーム部２３と支柱２Ａ，２Ｂ（支柱２Ｂ，２Ｃ）とにより前後方向への移動が規制される構成であるため、鍵装置を解錠できなければ、物品陳列什器１を破壊する以外に天面パネル２０を取り外す術がなく、物品陳列什器１内に陳列された物品の盗難などに対するセキュリティが高い。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、天面部材１０が天面パネル２０と矩形状のフレーム部材２１とにより成る構成で説明したが、これに限らず、例えばフレーム部材２１は、それぞれ別体の前フレーム部と横フレーム部と後フレーム部とを連結することにより構成されていてもよい。
【００５０】
また、フレーム部材２１の前フレーム部２３に天面パネル２０の前端２０ｂが配置される開口を備えてもよい。更に、後フレーム部に天面パネル２０の後端２０ｃが配置される開口を備えてもよく、この場合、後フレーム部は前フレーム部２３と横フレーム部２２，２２とは別体とし、天面パネル２０の側端２０ａ，２０ａを横フレーム部２２，２２の開口２２ａ，２２ａ内に挿入した後に、横フレーム部２２，２２の後端に後フレーム部を固定することで天面パネル２０とフレーム部材２１とを離脱不能に一体とすることができる。
【００５１】
また、前面部材は引き違い扉１１Ａ，１１Ｂ，１１Ｃ，１１Ｄとする構成を一例として挙げたが、これに限らず、例えば開き扉や扉として機能しない嵌め込み板でもよく、引違い扉が採用されない場合には、フレーム部材２１の前フレーム部２３の前端部にガイド溝部２６，２７を備えていなくてもよい。
【００５２】
また、フレーム部材２１の前フレーム部２３の前端部に設けられるガイド溝部２６，２７は、前フレーム部２３と別体であってもよい。
【００５３】
また、天面部材１０は側面部材８に固定される構成に限らず、例えば支柱２Ａ〜２Ｃや背板４に固定されてもよい。
【符号の説明】
【００５４】
１                物品陳列什器
２Ａ，２Ｂ，２Ｃ  支柱
２ａ              支柱前面
３                横杆
４                背板（背面部材）
５，５            基台
６                ベース棚板
７                係止孔
８，８            側面部材
９                仕切部
１０，１０        天面部材
１１Ａ〜１１Ｄ    引き違い扉（前面部）
１２              側面パネル
１３              前フレーム
１３ａ            上フレーム部
１３ｂ            水平部
１３ｃ，１３ｄ    ネジ孔
１４              下フレーム
１４ａ            開口
１５              後フレーム
１５ａ            開口
１６              取付金具
１８              突出片
１９              固定片
２０              天面パネル
２０ａ，２０ａ    側端
２０ｂ            前端
２０ｃ            後端
２１              フレーム部材
２２，２２        横フレーム部
２２ａ            開口
２２ｂ            側端面部
２２ｃ            上端面部
２２ｄ            突片部
２２ｅ            孔
２２ｆ            切欠部
２３              前フレーム部
２３ａ            前端面部
２４              後フレーム部
２６，２７        ガイド溝部
３５              レール
３５ａ，３５ａ    ガイド溝
【図１】
2018117983.tif 000003
【図２】
2018117983.tif 000004
【図３】
2018117983.tif 000005
【図４】
2018117983.tif 000006
【図５】
2018117983.tif 000007
【図６】
2018117983.tif 000008